(57)【特許請求の範囲】
【請求項１】
壁掛け自在なオゾン発生器（１）と、便器（３）にオゾンを噴射するためのＯＮ−ＯＦＦ操作部（４）を有する手持ちガン（２）と、上記オゾン発生器（１）と手持ちガン（２）とを連通連結する耐オゾン材質の可撓管（６）と、を備え、
さらに、上記オゾン発生器（１）は、壁掛け用ケーシング（７）と、該ケーシング（７）内に設けられたエアーポンプ（８）と、該ケーシング（７）内に設けられたセラミックオゾナイザ（９）と、上記ケーシング（７）の一部に開設されたオゾン吐出口（10）と、該オゾン吐出口（10）と上記手持ちガン（２）とを択一的に選択可能な電磁切換弁（11）と、上記オゾン吐出口（10）から間欠的かつ定期的にオゾンを吐出させる制御手段（12）とを、具備することを特徴とするトイレ用瞬間脱臭装置。
【請求項２】
上記セラミックオゾナイザ（９）は着脱自在として上記ケーシング（７）外へ取り出して水洗可能とした請求項１記載のトイレ用瞬間脱臭装置。
【発明の詳細な説明】
【技術分野】
【０００１】
本発明は、トイレ用瞬間脱臭装置に関する。
【背景技術】
【０００２】
従来、トイレ使用後の消臭のために化学的薬剤入り容器からスプレー状に、その薬剤を噴霧する方法が広く用いられている。
しかしながら、消臭に時間が掛かり、不快な感じを受けることが多い。
【０００３】
そこで、トイレ室（便所）内にオゾン脱臭機を設けることも考えられるところであるが、従来は、特許文献１に例示のようなオゾン脱臭機が知られてはいる。
【特許文献１】特公昭６３−６３２３２号公報
【発明の開示】
【発明が解決しようとする課題】
【０００４】
しかしながら、トイレに入って直ちに（瞬間的に）臭いを消したいときや、トイレ使用後に便器を局部的に脱臭したいときには、従来のオゾン脱臭機は、役に立たない。
【０００５】
そこで、本発明は、トイレ使用直前又は使用直後に、瞬間的に臭いを消すことが可能であり、かつ、局部的に（例えば、便器内を）消臭・脱臭することができるトイレ用瞬間脱臭装置を提供することを、目的とする。しかも、上述のような薬剤（薬品）を使用せず、ゴミを出さないで脱臭を行うことができるトイレ用瞬間脱臭装置を提供することを、他の目的とする。
【課題を解決するための手段】
【０００６】
上記目的を達成するために、本発明に係るトイレ用瞬間脱臭装置は、壁掛け自在なオゾン発生器と、便器にオゾンを噴射するためのＯＮ−ＯＦＦ操作部を有する手持ちガンと、上記オゾン発生器と手持ちガンとを連通連結する耐オゾン材質の可撓管と、を備え、さらに、上記オゾン発生器は、壁掛け用ケーシングと、該ケーシング内に設けられたエアーポンプと、該ケーシング内に設けられたセラミックオゾナイザと、上記ケーシングの一部に開設されたオゾン吐出口と、該オゾン吐出口と上記手持ちガンとを択一的に選択可能な電磁切換弁と、上記オゾン吐出口から間欠的かつ定期的にオゾンを吐出させる制御手段とを、具備している。
また、上記セラミックオゾナイザは着脱自在として上記ケーシング外へ取り出して水洗可能な構成である。
【発明の効果】
【０００７】
本発明は、次のような著大な効果を奏する。
トイレ内の臭いの発生する部位を集中的に（スポット的に）、かつ、瞬時に脱臭（消臭）することができる。
トイレの使用前、使用後、容易に便器に向けて集中的に（スポット的に）オゾンガスを噴霧容易であり、使い易い。
しかも、スプレー用薬剤（消毒液）や除菌便座シート等の消耗品がなくって、環境面でも優れている。
【発明を実施するための最良の形態】
【０００８】
以下、図示の実施の形態に基づき本発明を詳説する。
図１と図５に於て、１はオゾン発生器、２は、トイレ内の便器３にオゾン（Ｏ3 ）を噴射するための手持ちガン（ハンドガン）であって、このガン２は、電気的なＯＮ−ＯＦＦスイッチ（ボタン，レバー）等のＯＮ−ＯＦＦ操作部４、及び、噴射（噴霧）ノズル５を有する。
そして、６は、オゾン発生器１と手持ちガン２とを連通連結（接続）する耐オゾン材質の可撓管である。この可撓管６は、フッ素樹脂等の耐オゾン材質をコイル状に巻いたり（図１，図５参照）、又は、Ｕ字状に下方へ垂れ下げ状としたチューブが好適である。
【０００９】
さらに具体的に説明すると、このオゾン発生器１は、裏面壁にフック用孔を設けたり、逆に、フック片を突設して、壁に掛けるようになっており、狭いトイレの空間を有効利用できる。７は、このように壁に掛けるための直方体型のケーシングである。オゾン発生器１は、このような壁掛け用ケーシング７と、ケーシング７内に設けられたエアーポンプ８と、ケーシング７内に設けられたセラミックオゾナイザ９と、ケーシング７の一部に開設されたオゾン吐出口10と、このオゾン吐出口10と手持ちガン２とを択一的に選択可能（切換可能）な三方弁等の電磁切換弁11とを、具備している。
【００１０】
しかも、図５に示すように、オゾン吐出口10からは、間欠的かつ定期的にオゾンを吐出させる（電子回路から成る）制御手段12を備えている。
そして、図13に示すように、この実施の形態では、２個のセラミックオゾナイザ９，９が、ケーシング７内に固設の取付盤13に、着脱自在に取着され、これによって、ケーシング７外へ取り出して、水洗可能である。
【００１１】
即ち、各セラミックオゾナイザ（発生体）の２本のピン14, 15を、取付盤13の表て面の取付孔16, 17へ挿入して、取着され、引き抜いて取り外しできる空気中の不純物質やゴミ・ホコリが、セラミックオゾナイザ９に付着するのを、取付盤13から取り出し、ケーシング７外で蛇口からの水道水等にて、洗浄して除去できて至便である。（長期間優れたオゾン発生能率を発揮する。）
【００１２】
図３と図４に於て、セラミックオゾナイザ９について説明すると、これは表面放電式オゾナイザであって、高純度アルミナ表面に、細線状にタングステン電極18が塗着され、セラミック基板19内に誘導電極（内部電極）20がモールドされている構造である。そして、タングステン電極18に高周波（５〜10ＫＨｚ）の高電圧を加えると、表面21に点線にて示すような沿面放電Ｚが発生して、空気を表面21と平行に流せばオゾンを発生する。
【００１３】
なお、図１に於て、22は電源コード、23は、運転スイッチ、24は運転表示灯、25はオゾンを生成していることを示すオゾン生成表示灯、26はタイマー設定ダイヤルである。
なお、図２に示す変形例のように、手持ちガンとしては、平盤型のものとするも自由であり、（ノズル５を省略して、）噴出部27を有する。このように、ガンの形状は自由である。
【００１４】
なお、図５に於て、エアー（空気）ポンプ８から逆止弁28を有する吐出配管29を介して、セラミックオゾナイザ９，９に連通連結し、このセラミックオゾナイザ９，９から吐出配管30を介して、三方電磁弁等の切換弁11へ接続し、オゾン吐出口10へ連通される配管31と、可撓管６とに、択一的に連通可能として、切換弁11の吐出部に、接続される。
なお、図５では、手持ちガン２とオゾン吐出口10の両方から同時にオゾンガスが出ている様子を仮に描いてあるが、実際には、いずれか一方が吐出のときは、他方は吐出していない。
【００１５】
次に、図６に示すように、安全上、手持ちガン２からオゾンが噴出する最長吐出時間Ｔ0 及び絶対休止タイムＳ0 を、プログラミングにて制御手段12に記憶させる。三角黒印は、手持ちガン２のＯＮ−ＯＦＦ操作部４をＯＮとした瞬間を示す。斜線を示す各々の角ブロックＢは、オゾンが手持ちガン２（のノズル５又は噴出部27）から吐出している状態を示す領域である。
【００１６】
手持ちガン２のＯＮ（作動）時間が前記最長吐出時間Ｔ0 よりも短い場合（図６の左から１番目と２番目）は、手で操作している時間そのままの長さで噴出している。しかしながら、ＯＮ（作動）時間が前記最長吐出時間Ｔ0 よりも長く手にて操作しても、この時間Ｔ0 にて、強制的にＯＦＦとなり、吐出は中断されて、過分なオゾンが狭小なトイレ空間内に、充満するのを防止して、体の安全を図っている。その次は、絶対休止タイムＳ0 が経過しないと、ＯＮとはできない構成である。
【００１７】
特に、本発明の脱臭装置は、個々の便器３毎に設置されるので、狭いトイレ空間の場合には、Ｔ0 を短く、Ｓ0 を長く設定するのが良く、公共の比較的広い空間に複数の便器３が設置されている場合には、Ｔ0 を長くＳ0 を短くするのが良い。なお、上記時間Ｔ0 ，Ｓ0 の調整を、図１のタイマー設定ダイヤル26にて行うようにするのが好ましい。
【００１８】
なお、本発明を便座の除菌に用いるのも好ましい。このように、スポット的な脱臭あるいは除菌に使用できて、使い易い利点がある。また、トイレ室の消臭に、トイレ使用後（又は前）に、噴霧するのも好ましい。また、図３に於ては、２個のセラミックオゾナイザ９，９を使用しているが、これを、１個としたり、逆に３個以上とすることは、設計上自由である。
【００１９】
本発明は上述のように、壁掛け自在なオゾン発生器１と、便器３にオゾンを噴射するためのＯＮ−ＯＦＦ操作部４を有する手持ちガン２と、上記オゾン発生器１と手持ちガン２とを連通連結する耐オゾン材質の可撓管６と、を備えた構成であるので、壁掛け式のため狭いトイレ室が狭くならないで済み、設置が容易で、後付けも簡単である。手持ちガン２のＯＮ−ＯＦＦ操作部４にて、スポット的に便器３の必要な箇所に、的確に噴霧できる。可撓管６にて、一層、スポット的に必要な箇所に、的確に噴霧して、消臭、脱臭、除菌を行い得る。また、噴霧時間の細かい制御も簡単にできて、至便である。しかも、薬剤を使用せず、ゴミも出さず、環境上も好ましいといえる。
【００２０】
また、本発明は、上記オゾン発生器１は、壁掛け用ケーシング７と、該ケーシング７内に設けられたエアーポンプ８と、該ケーシング７内に設けられたセラミックオゾナイザ９とを、有すると共に、該セラミックオゾナイザ９は着脱自在として上記ケーシング７外へ取り出して水洗可能としたので、チリやホコリや不純物がセラミックオゾナイザ９に付着しても、簡単に水洗いして、オゾン発生効率を常に良好に維持できる。
【００２１】
また、上記オゾン発生器１は、壁掛け用ケーシング７と、該ケーシング７内に設けられたエアーポンプ８と、該ケーシング７内に設けられたセラミックオゾナイザ９と、上記ケーシング７の一部に開設されたオゾン吐出口10と、該オゾン吐出口10と上記手持ちガン２とを択一的に選択可能な電磁切換弁11と、上記オゾン吐出口10から間欠的かつ定期的にオゾンを吐出させる制御手段12とを、具備する構成であるので、トイレ室全体は、常に消臭されて快適であり、かつ、トイレ使用後等の必要時には、手持ちガン２にて、スポット的（集中的）に、脱臭・消臭等を行い得るので、至便である。また、高価なセラミックオゾナイザ９を共用可能となる。
【図面の簡単な説明】
【００２２】
【図１】本発明の実施の一形態を示す全体斜視図である。
【図２】要部の変形例を示す斜視図である。
【図３】要部の分解斜視説明図である。
【図４】セラミックオゾナイザの作用と構成の説明図である。
【図５】回路説明と使用説明のための図である。
【図６】吐出量の変化を示すグラフ図である。
【符号の説明】
【００２３】
１  オゾン発生器
２  手持ちガン
３  便器
４  ＯＮ−ＯＦＦ操作部
６  可撓管
７  ケーシング
８  エアーポンプ
９  セラミックオゾナイザ
10  オゾン吐出口
11  電磁切換弁
12  制御手段
【図１】
0004964822.tif 000002
【図２】
0004964822.tif 000003
【図３】
0004964822.tif 000004
【図４】
0004964822.tif 000005
【図５】
0004964822.tif 000006
【図６】
0004964822.tif 000007